(57)【要約】【課題】ゲーブルトップ型紙容器の内容物が少量となってきたとき，その注ぎ出しをスムースにし，及び残さずに注ぎ出し，また，比較的軽く小さな力で，その紙容器を折り畳むことを可能とする。【解決手段】ゲーブルトップ型紙容器の製造工程において，打ち抜き工程等で組み立て補助線等を付着する際に，図１及び図２の破線で示す各部位に，本発明の折り線（５，９，１３，１６，１９，２２，２５，２８）を設けることにより，内容物が少量となってきたとき，前記の各折り線を折り込むこと等を実行すると，図３の外観図で示す形状の紙容器が形成される。この紙容器の注ぎ口を，下方へ向けて注ぎ出しを行うと，内容物は，図３の破線で示す部位の折り線１６及び折り線１３に沿って集められ，スムースに，かつ残留量も無く注ぎ出される。また，小さく折り畳むことも容易となる。【選択図】図３
2007112492.tif 000002
【特許請求の範囲】
【請求項１】
４枚の側板により構成された四角筒状の胴部の上に，２枚の切妻屋根形成板と，該内側に折り込まれる２枚の妻壁形成板により構成され，該４枚の形成板が合掌閉鎖される頂部を有し，前記胴部の下に，２枚の外側底壁板と，該内側に折り込まれる２枚の内側底壁板により構成される底部を有するゲーブルトップ型紙容器において，前記頂部を構成する正面の切妻屋根形成板の底辺で正面の側板の上辺となる辺の中央部から，合掌閉鎖される頂部の中央部の方向へ延設される山折り線と，該辺の中央部から，該側板の底辺の中央部の方向へ延設される山折り線と，背面の切妻屋根形成板の底辺で背面の側板の上辺となる辺の中央部から，合掌閉鎖される頂部の中央部の方向へ延設される谷折り線と，該辺の中央部から，該側板の底辺の中央部の方向へ延設される谷折り線と，左右の各妻壁形成板の底辺で左右の各側板の上辺となる各辺の中央部から，合掌閉鎖される頂部の中央部の方向へ延設される各谷折り線と，該各辺の中央部から，該各側板の底辺の中央部の方向へ延設される各谷折り線を，設けることを特徴とするゲーブルトップ型紙容器。
【発明の詳細な説明】
【技術分野】
【０００１】
本発明は，紙容器の内容物が少量となってきたときに，その注ぎ出しをスムースにし，かつ，残留量を無くし，また，その使用済み紙容器の折り畳みも容易となる，ゲーブルトップ型紙容器の折り線に関するものである。
【背景技術】
【０００２】
ゲーブルトップ型紙容器は，種々の飲料品等の容器として使用されているが，内容物の残量が少量となってきたとき，その注ぎ出しは，単に注ぎ口を下方に向け，紙容器を前後・左右に傾け，上下に揺する・軽く叩く等の方法で行われており，注ぎ出しはスムースでなく，内容物も少量残ってしまう。また，使用済みの大型の紙容器は，軽い力で小さく折り畳んだり，縮めたりすることが，容易でない。
【０００３】
【特許文献１】特許公開２００２−２８４１４３号公報
【特許文献２】特許公開２００２−２３４５２４号公報
【特許文献３】特許公開平１１−９１７９２号公報
【発明の開示】
【発明が解決しようとする課題】
【０００４】
解決しようとする問題点は，少量となった内容物をスムースに，残さずに注ぎ出すことが困難な点，及び軽く小さな力で折り畳むことが困難な点である。
【課題を解決するための手段】
【０００５】
少量となった内容物の注ぎ出しをスムースにし，折り畳みを容易にするため，従来のゲーブルトップ型紙容器に，本発明の折り線を設けることを特徴とする（請求項１記載の発明）。
【発明の効果】
【０００６】
少量となった内容物が，本発明の折り線に沿って，注ぎ口に集められるので，注ぎ出しがスムースで容易になり，残留量も無くなる。また，その折り線に沿って，軽い力で小さく折り畳むことも，容易になり，保管スペースを省くという利点がある。
【発明を実施するための最良の形態】
【０００７】
少量となった内容物をスムースに，残さずに注ぎ出し，また，軽く小さな力で折り畳むという目的を，本発明の折り線を，打ち抜き工程等において，従来の折り線と同時に設けることが可能なため，製造工程が増えることもなく，コストを上げずに実現した。
【実施例１】
【０００８】
図１は，本発明の折り線を設けたゲーブルトップ型紙容器の外面の展開図である。図１の破線で示す各部位に，折り線を設けるものである。
【０００９】
以下，内容量１．８リットルのゲーブルトップ型紙容器に設ける折り線について，具体的に説明する。
【００１０】
図１の破線で示す折り線５は，左側板１の上辺６の中央部７から，合掌閉鎖される頂部の中央部８方向へ，内容物が充填されたときに大きく変形しない程度の浅い折り線（折り線は以下同様），谷折り線３０ｍｍ〜４０ｍｍを設ける。図１の破線で示す折り線９は，左側板１の上辺６の中央部７から，同側板１の底辺１１の中央部１２方向へ，谷折り線８０ｍｍ〜１１０ｍｍを設ける。
【００１１】
図１の破線で示す折り線１３は，正面側板２の上辺１４の中央部１５から，合掌閉鎖される頂部の中央部８方向へ，山折り線７ｍｍ〜９ｍｍを注ぎ口取り付け穴の近くまで設ける。図１の破線で示す折り線１６は，正面側板２の上辺１４の中央部１５から，同側板２の底辺１７の中央部１８方向へ，山折り線７０ｍｍ〜９０ｍｍを設ける。
【００１２】
図１の破線で示す折り線１９は，右側板３の上辺２０の中央部２１から，合掌閉鎖される頂部の中央部８方向へ，谷折り線３０ｍｍ〜４０ｍｍを設ける。図１の破線で示す折り線２２は，右側板３の上辺２０の中央部２１から，同側板３の底辺２３の中央部２４方向へ，谷折り線８０ｍｍ〜１１０ｍｍを設ける。
【００１３】
図１の破線で示す折り線２５は，背面側板４の上辺２６の中央部２７から，合掌閉鎖される頂部の中央部８方向へ，谷折り線４０ｍｍ〜４５ｍｍを設ける。図１の破線で示す折り線２８は，背面側板４の上辺２６の中央部２７から，同側板４の底辺２９の中央部３０方向へ，谷折り線３０ｍｍ〜５０ｍｍを設ける。
【００１４】
図２は，本発明の折り線を設けたゲーブルトップ型紙容器の外観図である。
【００１５】
図３は，前記の折り線を設けたゲーブルトップ型紙容器の内容物の残量が，少量となってきたとき，以下の一連の動作を実行した後のその紙容器の外観図である。
【００１６】
初めに，図２の辺６の中央部７及びその対辺である図１の辺２０の中央部２１を，それぞれ内側へ押し込むと，谷折り線５，谷折り線９，谷折り線１９及び谷折り線２２が形成される。その後，辺６の両端及び辺２０の両端を，それぞれ片手で支持し，その両辺の両端を，更に，その辺の中央部方向へ挟み込む。
【００１７】
次に，図２の辺１４の両端を，片手で支持しながら，図１の辺２６の中央部２７を，もう一方の手で，内側へ押し込むと，谷折り線２５及び谷折り線２８が形成される。
【００１８】
次に，図２の辺１４の両端を，片手で，正面から背面方向へ軽く押し込むように支持し，同時に，もう一方の手で，図１の辺２６の中央部２７の近傍（少し底部方向寄り）を，内側へ押し込みながら，更に，支持している辺１４の両端を，その辺の内側へ挟み込むと，山折り線１３及び山折り線１６が形成される。
【００１９】
その結果，図３の外観図で示す形状のゲーブルトップ型紙容器が形成される。
【００２０】
従って，その紙容器の注ぎ口を下方に向け，注ぎ出しを行うと，内容物は，図３の本発明の山折り線１６及び山折り線１３に沿って集められ，その注ぎ出しがスムースで，残留量も無くなる。また，これらの折り線を更に折り畳むことにより，小さくて保管の容易な形状となる。
【図面の簡単な説明】
【００２１】
【図１】実施例を示すゲーブルトップ型紙容器の外面の展開図である。
【図２】実施例を示すゲーブルトップ型紙容器の外観図である。
【図３】実施例を示すゲーブルトップ型紙容器の外観図である。
【符号の説明】
【００２２】
１，３は，胴部の左・右側板
２は，胴部の正面側板
４は，胴部の背面側板
５，９，１３，１６，１９，２２，２５，２８は，本発明の折り線
６，１１，１４，１７，２０，２３，２６，２９は，辺
７，１２，１５，１８，２１，２４，２７，３０は，辺の中央部
８は，頂部の中央部
１０は，底部
３１，３３は，左・右の妻壁形成板
３２，３４は，正面・背面の切妻屋根形成板
【図１】
2007112492.tif 000003
【図２】
2007112492.tif 000004
【図３】
2007112492.tif 000005